(57)【要約】【課題】早送りやスキップ等の特殊再生機能の利便性を損ねることなく、ユーザが記録データに含まれる所望のコマーシャルデータを確実に視聴（聴取）することができるデータ記録装置等を提供することをその課題とする。【解決手段】コマーシャル長さ情報等を含むコマーシャル分類情報が付加されたコマーシャルデータを含むコンテンツを取得し、取得したコンテンツの記録に同期して、コマーシャルデータの記録開始位置と、当該コマーシャルデータのコマーシャル分類情報とを関連付けたインデックス情報１４０をコマーシャルデータ毎に生成するとともに、通常再生モードで再生するべきコマーシャルデータの分類を指定しておき、コンテンツを記録した記録データ１２０が早送り再生等の特殊再生モードで再生中であるとき、指定された分類に該当するコマーシャルデータを、特殊再生モードから通常再生モードに切替えて再生する。【選択図】図１
2007274492.tif 000002
【特許請求の範囲】
【請求項１】
コマーシャルの放送時間を表すコマーシャル長さ情報を含むコマーシャル分類情報、が付加されたコマーシャルデータを含むコンテンツを取得するコンテンツ取得手段と、
取得した前記コンテンツを記録するコンテンツ記録手段と、
前記コマーシャル分類情報に基づいて、前記コマーシャルデータの記録開始位置を特定する記録開始位置特定手段と、
前記コンテンツ記録手段による記録に同期して、前記コマーシャルデータの前記記録開始位置と、当該コマーシャルデータの前記コマーシャル分類情報とを関連付けたインデックス情報を、前記コマーシャルデータ毎に生成するインデックス情報生成手段と、
生成した前記インデックス情報を参照しながら、前記コンテンツ記録手段により記録した記録データを通常再生モード、または早送り再生を含む特殊再生モードで再生する記録データ再生手段と、
前記通常再生モードで再生するべき前記コマーシャルデータの分類を指定する分類指定手段と、
前記インデックス情報に含まれる前記コマーシャル分類情報が、前記分類指定手段により指定された分類に該当するか否かを判別する分類判別手段と、を備え、
前記記録データが前記特殊再生モードで再生中であるとき、前記記録データ再生手段は、
前記インデックス情報に含まれる前記コマーシャルデータの記録開始位置および前記コマーシャル長さ情報に基づいて、前記分類判別手段により、前記コマーシャル分類情報が前記分類指定手段によって指定された分類に該当する、と判別されたコマーシャルデータである再生対象コマーシャルデータを、前記特殊再生モードから前記通常再生モードに切替えて再生することを特徴とするデータ記録装置。
【請求項２】
前記コマーシャル分類情報には、前記コマーシャルの提供社名、商品ジャンル、出演者名、および使用楽曲に関する楽曲情報、のうち少なくとも何れか１以上の情報がさらに含まれることを特徴とする請求項１に記載のデータ記録装置。
【請求項３】
前記記録データ再生手段による、前記再生対象コマーシャルデータの再生モード切替機能をＯＮまたはＯＦＦに切替える切替機能ＯＮ／ＯＦＦ手段、をさらに備えることを特徴とする請求項１に記載のデータ記録装置。
【請求項４】
前記記録データ再生手段は、
前記再生対象コマーシャルデータを、前記インデックス情報に基づいて前記記録データから抽出して再生する再生対象コマーシャルデータ抽出再生手段、をさらに備えることを特徴とする請求項１に記載のデータ記録装置。
【請求項５】
前記記録データ再生手段は、
前記再生対象コマーシャルデータを、前記インデックス情報に基づいて前記記録データから抽出し、抽出した前記再生対象コマーシャルデータを前記記録データの先頭または末尾に付加して再生するコマーシャルデータ付加再生手段、をさらに備えることを特徴とする請求項１に記載のデータ記録装置。
【請求項６】
前記コマーシャル分類情報にはコマーシャルの内容を識別するコマーシャルＩＤがさらに含まれており、前記記録データに同一の前記コマーシャルＩＤを含む前記コマーシャルデータが複数含まれる場合、
前記記録データ再生手段は、
２回目以降に記録された前記コマーシャルデータの再生を省略することを特徴とする請求項１に記載のデータ記録装置。
【請求項７】
前記コマーシャル分類情報にはコマーシャルの内容を識別するコマーシャルＩＤがさらに含まれており、取得した前記コマーシャルデータと同一の前記コマーシャルＩＤを含む前記コマーシャルデータが前記記録データとして既に記録されている場合、
２回目以降に取得した前記コマーシャルデータに関し、
前記コンテンツ記録手段は、
前記コマーシャルデータの記録を省略するとともに、
前記インデックス情報生成手段は、
記録が省略された前記コマーシャルデータの記録開始位置となる仮想記録開始位置と、当該コマーシャルデータのコマーシャルＩＤとを関連付けた前記インデックス情報を生成し、
前記記録データ再生手段は、
前記インデックス情報に前記仮想記録開始位置が含まれる場合、当該仮想記録開始位置に関連付けられた前記コマーシャルＩＤと同一の前記コマーシャルＩＤで識別される前記コマーシャルデータを、前記記録データから読み出して再生することを特徴とする請求項１に記載のデータ記録装置。
【請求項８】
前記コンテンツ記録手段は、
前記コマーシャルデータと、前記コンテンツから前記コマーシャルデータを除いた本編データとをそれぞれ別の領域に記録し、
前記コマーシャルデータおよび前記本編データは、個々に独立して保存されることを特徴とする請求項７に記載のデータ記録装置。
【請求項９】
保存された前記コマーシャルデータを、所定の条件を満たした場合に削除するコマーシャルデータ削除手段、をさらに備えることを特徴とする請求項８に記載のデータ記録装置。
【請求項１０】
生成した前記インデックス情報に含まれる前記コマーシャル分類情報を一覧表示する分類情報リストを生成し画面表示させる表示制御手段と、
画面表示された前記分類情報リストのなかから何れかの前記コマーシャル分類情報を選択する選択手段と、をさらに備え、
前記記録データ再生手段は、
前記インデックス情報に基づいて、前記選択手段により選択された前記コマーシャル分類情報に該当する前記コマーシャルデータを抽出して再生する選択コマーシャルデータ抽出再生手段、をさらに備えることを特徴とする請求項１に記載のデータ記録装置。
【請求項１１】
前記コマーシャル分類情報にはコマーシャルの内容を識別するコマーシャルＩＤがさらに含まれており、
前記表示制御手段は、
同一のコマーシャルＩＤで識別されるコマーシャルデータ毎の前記分類情報の一覧を前記分類情報リストとして生成し、前記コマーシャルデータ毎の記録回数および前記コマーシャルデータ毎の再生回数、の少なくとも何れかをさらに当該分類情報リストに含めることを特徴とする請求項１０に記載のデータ記録装置。
【請求項１２】
前記コマーシャル分類情報にはコマーシャルの内容を識別するコマーシャルＩＤがさらに含まれており、
特定のコマーシャルの前記コマーシャルＩＤを含む特定コマーシャル情報を取得する特定コマーシャル情報取得手段、をさらに備え、
前記記録データ再生手段は、
前記インデックス情報に基づいて、取得した前記特定コマーシャル情報に含まれる前記コマーシャルＩＤで識別される前記コマーシャルデータを、前記記録データから抽出して再生する特定コマーシャルデータ抽出再生手段、をさらに備えることを特徴とする請求項１に記載のデータ記録装置。
【請求項１３】
前記記録データ再生手段は、
１の前記記録データに含まれる全ての前記コマーシャルデータを除いた本編データを前記インデックス情報に基づき抽出して再生する本編データ抽出再生手段と、
１の前記記録データに含まれる全ての前記コマーシャルデータを前記インデックス情報に基づき抽出して再生するコマーシャルデータ抽出再生手段と、をさらに備え、
前記本編データ抽出再生手段による本編データの再生と、前記コマーシャルデータ抽出再生手段によるコマーシャルデータの再生と、を相互に切替える再生切替手段と、
前記再生切替手段により再生が切り替えられる直前の再生位置を記憶する再生位置記憶手段と、をさらに備えたことを特徴とする請求項１に記載のデータ記録装置。
【請求項１４】
コンピュータに、請求項１ないし１３のいずれか１項に記載のデータ記録装置における各手段を機能させることを特徴とするプログラム。
【請求項１５】
請求項１ないし１３のいずれか１項に記載のデータ記録装置と、
前記コマーシャル分類情報を付加したコマーシャルデータを含むコンテンツを放送する放送装置と、から構成されることを特徴とする放送システム。
【発明の詳細な説明】
【技術分野】
【０００１】
本発明は、コマーシャルデータを含むコンテンツを記録するデータ記録装置、プログラム、および放送システムに関するものである。
【背景技術】
【０００２】
従来、ユーザが入力したキーワードに合致するコマーシャル映像を収集して保存する映像収集方法が開示されている（例えば特許文献１参照）。この収集方法によれば、今日放送されている膨大なコマーシャル映像のなかから、ユーザが興味のあるコマーシャル映像のみを抽出して保存するので、ユーザは自身の都合のよいときに所望するコマーシャル映像を視聴することが可能となった。
【特許文献１】特開平１１−１９６３６１号公報
【発明の開示】
【発明が解決しようとする課題】
【０００３】
ところで、上記の映像収集方法を、例えばコマーシャル映像を含むテレビジョン番組等が録画された録画データに適用した場合、録画データのなかから所望のコマーシャル映像を収集して保存することが想定されるが、当然録画データにはコマーシャル映像が含まれていることから、録画データの再生時に所望のコマーシャル映像を視聴できることが好ましい。しかしながら、ユーザが録画データに含まれるコマーシャル映像が、所望するコマーシャルであるかを判別するには、全てのコマーシャル映像を確認しなければならず、早送りやスキップ等の特殊再生機能の利便性が損なわれてしまう。
【０００４】
そこで、本発明は、早送りやスキップ等の特殊再生機能の利便性を損ねることなく、ユーザが記録データに含まれる所望のコマーシャルデータを確実に視聴（聴取）することができるデータ記録装置、プログラム、および放送システムを提供することをその課題とする。
【課題を解決するための手段】
【０００５】
本発明のデータ記録装置は、コマーシャルの放送時間を表すコマーシャル長さ情報を含むコマーシャル分類情報、が付加されたコマーシャルデータを含むコンテンツを取得するコンテンツ取得手段と、取得したコンテンツを記録するコンテンツ記録手段と、コマーシャル分類情報に基づいて、コマーシャルデータの記録開始位置を特定する記録開始位置特定手段と、コンテンツ記録手段による記録に同期して、コマーシャルデータの記録開始位置と、当該コマーシャルデータのコマーシャル分類情報とを関連付けたインデックス情報を、コマーシャルデータ毎に生成するインデックス情報生成手段と、生成したインデックス情報を参照しながら、コンテンツ記録手段により記録した記録データを通常再生モード、または早送り再生を含む特殊再生モードで再生する記録データ再生手段と、通常再生モードで再生するべきコマーシャルデータの分類を指定する分類指定手段と、インデックス情報に含まれるコマーシャル分類情報が、分類指定手段により指定された分類に該当するか否かを判別する分類判別手段と、を備え、記録データが特殊再生モードで再生中であるとき、記録データ再生手段は、インデックス情報に含まれるコマーシャルデータの記録開始位置およびコマーシャル長さ情報に基づいて、分類判別手段により、コマーシャル分類情報が分類指定手段によって指定された分類に該当する、と判別されたコマーシャルデータである再生対象コマーシャルデータを、特殊再生モードから通常再生モードに切替えて再生することを特徴とする。
【０００６】
この構成によれば、記録データを特殊再生モードで再生している場合であっても、ユーザが所望する分類に合致するコマーシャルデータは特殊再生モードから通常再生モードに切替えて再生されるので、特殊再生機能の利便性を損ねることなく、ユーザが記録データ内の所望のコマーシャルデータを確実に視聴または聴取することが可能となる。また、これにより、ユーザが特殊再生機能を利用したとしても自動的に通常再生されるコマーシャルデータが発生することから、広告主にとってもメリットを有することとなる。
【０００７】
上記のデータ記録装置において、コマーシャル分類情報には、コマーシャルの提供社名、商品ジャンル、出演者名、および使用楽曲に関する楽曲情報、のうち少なくとも何れか１以上の情報がさらに含まれることが好ましい。
【０００８】
この構成によれば、コマーシャルの提供社名、商品ジャンル、出演者名、および使用楽曲に関する楽曲情報、の各情報に基づいてユーザが所望するコマーシャルの分類を指定することができる。
【０００９】
上記のデータ記録装置において、記録データ再生手段による、コマーシャルデータの再生モード切替機能をＯＮまたはＯＦＦに切替える切替機能ＯＮ／ＯＦＦ手段、をさらに備えることが好ましい。
【００１０】
この構成によれば、再生モード切替機能、すなわちコマーシャルデータを特殊再生モードから通常再生モードに切替えて再生する機能をＯＮまたはＯＦＦに切替えることができるので、例えば既に視聴（聴取）した記録データを再び視聴（聴取）する場合にユーザが再生モード切替機能をＯＦＦにすることにより、既に視聴（聴取）したコマーシャルデータが再び特殊再生モードから通常再生モードに切替わって再生されるといったユーザにとって煩雑な処理を、ユーザ自身の手で停止することができる。もちろん、ユーザが手動で再生モード切替機能をＯＦＦにする構成に代え、既に一度再生済みの記録データを再び再生する場合には自動的に再生モード切替機能をＯＦＦする構成でもよい。
【００１１】
上記のデータ記録装置において、記録データ再生手段は、再生対象コマーシャルデータを、インデックス情報に基づいて記録データから抽出して再生する再生対象コマーシャルデータ抽出再生手段、をさらに備えることが好ましい。
【００１２】
この構成によれば、ユーザが所望する分類に合致するコマーシャルデータのみをまとめて視聴（聴取）することができる。
【００１３】
上記のデータ記録装置において、記録データ再生手段は、再生対象コマーシャルデータを、インデックス情報に基づいて記録データから抽出し、抽出した再生対象コマーシャルデータを記録データの先頭または末尾に付加して再生するコマーシャルデータ付加再生手段、をさらに備えることが好ましい。
【００１４】
この構成によれば、ユーザが所望する分類に合致するコマーシャルデータを記録データの先頭または末尾にまとめて視聴（聴取）することができる。
【００１５】
上記のデータ記録装置において、コマーシャル分類情報にはコマーシャルの内容を識別するコマーシャルＩＤがさらに含まれており、記録データに同一のコマーシャルＩＤを含むコマーシャルデータが複数含まれる場合、記録データ再生手段は、２回目以降に記録されたコマーシャルデータの再生を省略することが好ましい。
【００１６】
この構成によれば、記録データを視聴（聴取）している間、ユーザは同一のコマーシャルを視聴（聴取）することがないので、コマーシャルに対する興味が薄れてしまう虞を軽減することができる。特に、再生モード切替機能により同一のコマーシャルを幾度も通常再生モードに切り替えて再生することにより、ユーザがコマーシャルを見飽きてしまうことを防止することができる。
【００１７】
上記のデータ記録装置において、コマーシャル分類情報にはコマーシャルの内容を識別するコマーシャルＩＤがさらに含まれており、取得したコマーシャルデータと同一のコマーシャルＩＤを含むコマーシャルデータが記録データとして既に記録されている場合、２回目以降に取得したコマーシャルデータに関し、コンテンツ記録手段は、コマーシャルデータの記録を省略するとともに、インデックス情報生成手段は、記録が省略されたコマーシャルデータの記録開始位置となる仮想記録開始位置と、当該コマーシャルデータのコマーシャルＩＤとを関連付けたインデックス情報を生成し、記録データ再生手段は、インデックス情報に仮想記録開始位置が含まれる場合、当該仮想記録開始位置に関連付けられたコマーシャルＩＤと同一のコマーシャルＩＤで識別されるコマーシャルデータを、記録データから読み出して再生することが好ましい。
【００１８】
この構成によれば、既に記録したコマーシャルデータと同一のコマーシャルであるコマーシャルデータを取得した場合には、コマーシャルデータ自体の記録を省略することから記録容量を大幅に削減することができる。同時に、記録データの再生時には、コマーシャルデータを取得した分だけコマーシャルデータを再生するので、コマーシャルデータの再生カットにはつながらない。
【００１９】
上記のデータ記録装置において、コンテンツ記録手段は、コマーシャルデータと、コンテンツからコマーシャルデータを除いた本編データとをそれぞれ別の領域に記録し、コマーシャルデータおよび本編データは、個々に独立して保存されることが好ましい。
【００２０】
この構成によれば、本編データとコマーシャルデータとを別々に管理することができるので、例えば本編データを削除し、削除した本編データ内に挿入して放送されたコマーシャルデータは保存する、といった制御が可能となる。これにより、より多くのＩＤが異なるコマーシャルデータを保存しておくことができるので、効率的に記録容量の削減を実現することができる。
【００２１】
上記のデータ記録装置において、保存されたコマーシャルデータを、所定の条件を満たした場合に削除するコマーシャルデータ削除手段、をさらに備えることが好ましい。
【００２２】
この構成によれば、所定の条件を満たした場合には、自動的にコマーシャルデータが削除されるので、データ記録装置に蓄積されたコマーシャルデータが装置全体の記憶容量を圧迫することを抑制することができる。なお、所定の条件とは、例えば対応する本編データが削除された場合やコマーシャルデータの取得日時から一定期間内における再生回数が所定回数に満たない場合、若しくは、コマーシャルデータを記憶する記憶部の記憶容量が一定容量を超えた場合等が想定され、これらの削除条件は設定情報としてデータ記録装置に保存されていることを前提とする。
【００２３】
上記のデータ記録装置において、生成したインデックス情報に含まれるコマーシャル分類情報を一覧表示する分類情報リストを生成し画面表示させる表示制御手段と、画面表示された分類情報リストのなかから何れかのコマーシャル分類情報を選択する選択手段と、をさらに備え、記録データ再生手段は、インデックス情報に基づいて、選択手段により選択されたコマーシャル分類情報に該当するコマーシャルデータを抽出して再生する選択コマーシャルデータ抽出再生手段、をさらに備えることが好ましい。
【００２４】
この構成によれば、ユーザは、画面表示された分類情報リストを参照し、所望の分類に合致する分類情報を選択することにより、容易に自身が興味のあるコマーシャルデータを視聴（聴取）することができる。また、この場合、例えばユーザが所定のキーワードを入力し、入力されたキーワードに合致するコマーシャル分類情報のみを分類情報リストとして表示するフィルタリング機能を設けるとなおよい。
【００２５】
上記のデータ記録装置において、コマーシャル分類情報にはコマーシャルの内容を識別するコマーシャルＩＤがさらに含まれており、表示制御手段は、同一のコマーシャルＩＤで識別されるコマーシャルデータ毎の分類情報の一覧を分類情報リストとして生成し、コマーシャルデータ毎の記録回数および／またはコマーシャルデータ毎の再生回数をさらに当該分類情報リストに含めることが好ましい。
【００２６】
この構成によれば、同一のコマーシャルＩＤで識別されるコマーシャルデータ毎の記録回数および／または再生回数を参考にしながら所望するコマーシャル分類情報を選択することができる。また、データ記録装置が記憶するコマーシャルデータの再生回数は、例えばネットワークを介して集計し、この集計結果となるランキング情報を広告主へ提供する等の活用も想定される。また、コマーシャルデータを取得した回数をさらに表示してもよいし、コマーシャル分類情報にそのコマーシャルの放送回数が含まれる場合には放送回数を表示してもよい。
【００２７】
上記のデータ記録装置において、コマーシャル分類情報にはコマーシャルの内容を識別するコマーシャルＩＤがさらに含まれており、特定のコマーシャルのコマーシャルＩＤを含む特定コマーシャル情報を取得する特定コマーシャル情報取得手段、をさらに備え、記録データ再生手段は、インデックス情報に基づいて、取得した特定コマーシャル情報に含まれるコマーシャルＩＤで識別されるコマーシャルデータを、記録データから抽出して再生する特定コマーシャルデータ抽出再生手段、をさらに備えることが好ましい。
【００２８】
この構成によれば、特定のコマーシャルとして、例えば視聴者（聴取者）に人気のあるコマーシャルや、話題性のあるコマーシャル、若しくは放送頻度が極度に少ないコマーシャル等に適用することにより、ユーザはこれらのコマーシャルデータを容易に視聴（聴取）することが可能となる。なお、特定コマーシャル情報は、コンテンツの提供元から取得する、すなわちコマーシャル分類情報に含まれる形でもよいし、コンテンツの提供元とは異なる外部からネットワークを介して取得する構成でもよい。この場合、広告主側では、自社が提供するコマーシャルが特定コマーシャル情報に含まれることにより、放送回数に依存しない効果的なコマーシャルの提供を実現できる。
【００２９】
上記のデータ記録装置において、記録データ再生手段は、１の記録データに含まれる全てのコマーシャルデータを除いた本編データを前記インデックス情報に基づき抽出して再生する本編データ抽出再生手段と、１の記録データに含まれる全てのコマーシャルデータをインデックス情報に基づき抽出して再生するコマーシャルデータ抽出再生手段と、をさらに備え、本編データ抽出再生手段による本編データの再生と、コマーシャルデータ抽出再生手段によるコマーシャルデータの再生と、を相互に切替える再生切替手段と、
再生切替手段により再生が切り替えられる直前の再生位置を記憶する再生位置記憶手段と、をさらに備えることが好ましい。
【００３０】
この構成によれば、１つの記録データにおいて、例えばユーザからの指示をトリガとして、本編データとコマーシャルデータとを互いに切替えて再生することができるので、ユーザは、本編データとコマーシャルデータとを所望のタイミングでそれぞれ個別に視聴（聴取）することが可能となり、ユーザの利便性をさらに向上させ得る。
【００３１】
本発明のプログラムは、コンピュータに、上記のいずれか１に記載のデータ記録装置における各手段として機能させることを特徴とする。
【００３２】
このプログラムをコンピュータが実行することにより、記録データに含まれるコマーシャルデータにおいてもコマーシャル効果が確実に期待できるデータ記録装置を実現することができる。
【００３３】
本発明の放送システムは、上記のいずれか１に記載のデータ記録装置と、コマーシャル分類情報を付加したコマーシャルデータを含むコンテンツを放送する放送装置と、から構成されることを特徴とする。
【００３４】
この構成によれば、記録データに含まれるコマーシャルデータにおいてもコマーシャル効果が確実に期待できる放送システムを実現することができる。
【発明を実施するための最良の形態】
【００３５】
以下、添付の図面を参照して、本発明の一実施形態に係る放送システム等について説明する。
【００３６】
図１は、本発明の一実施形態に係る放送システム１のシステム構成図である。同図に示すように、放送システム１は、企業、商品、番組、施設等を宣伝する広告や公共広告を含むコマーシャルのデータであるコマーシャルデータを含むコンテンツを放送する放送装置１５０と、この放送装置１５０から放送されたコンテンツを取得し、記録するデータ記録装置１０と、から構成している。なお、「コンテンツ」とは、映像情報および音声情報から成るもの（テレビジョン番組など）、映像情報だけのもの（例えば無声映画など）、および音声情報だけのもの（例えば音楽やラジオ番組など）の何れかを意味している。
【００３７】
放送装置１５０は、コンテンツ送出部１５１を備えており、コンテンツ送出部１５１は、コンテンツに含まれるコマーシャルデータに、コマーシャルを分類するためのコマーシャル分類情報１３０（図２（ａ）参照；詳細は後述する）を付加して（すなわちコマーシャルデータとコマーシャル分類情報１３０とを多重化して）コンテンツを送出する。
【００３８】
データ記録装置１０は、放送装置１５０からコンテンツを取得するコンテンツ取得部２０と、各種情報を記憶する記憶部３０と、コンテンツに含まれる音声情報（信号）や映像情報（信号）を変換するコンテンツ変換部４０と、取得したコンテンツを記録するコンテンツ記録部５０と、コンテンツが記録された記録データ１２０を読み出し再生する記録データ再生部６０と、各種制御を行う制御部７０と、から成る。
【００３９】
コンテンツ取得部２０は、受信アンテナ８１から、地上波、ＢＳ、ＣＳ等のテレビジョン放送を受信する場合、いわゆるチューナが主要構成要素となる。また、外部機器８２（外部出力端子を有するテレビ、パーソナルコンピュータ、各種チューナ等）からコンテンツを取得する場合は、外部入力端子が主要構成要素となる。なお、特に図示しないが、コンテンツ取得部２０は、インターネットなど通信網を介して配信される映像／音楽データをコンテンツとして取得することも可能であり、その場合にはインターネット接続部分が主要構成要素となる。
【００４０】
また、コンテンツ取得部２０は、例えば視聴者（聴取者）に人気のあるコマーシャルや、話題性のあるコマーシャル、若しくは放送頻度が極度に少ないコマーシャルといった特定のコマーシャルのコマーシャルＩＤ（コマーシャルの内容を識別する識別情報）を含む特定コマーシャル情報を取得する。特定コマーシャル情報は、上記の放送装置１５０から取得してもよいし、他の装置（例えばＷｅｂサーバ）からインターネットを介して取得してもよい。
【００４１】
記憶部３０は、コンテンツ記録部５０により記録された記録データ１２０を記憶する記録データ記憶部３１と、制御部７０の分類指定部７４により指定されたコマーシャルの分類を記憶する指定分類情報記憶部３２と、コンテンツ取得部２０が取得した特定コマーシャル情報を記憶する特定コマーシャル情報記憶部３３と、を備えている。また、記録データ記憶部３１は、制御部７０のインデックス情報生成部７２により生成されたインデックス情報１４０（図２（ｂ）参照）をさらに記憶する。なお、記憶部３０はハードディスク、各種半導体メモリ、各種光ディスク等により構成可能であり、その種類は問わない。
【００４２】
コンテンツ変換部４０は、取得したコンテンツに含まれる映像情報（信号）や音声情報（信号）のデコード若しくはエンコードを行う。
【００４３】
コンテンツ記録部５０は、取得したコンテンツの記録を行う。なお、コンテンツの記録先が光ディスク等である場合、コンテンツ記録部５０はドライブが主構成要素となる。また、コンテンツの記録先がハードディスク等である場合には、制御部７０がコンテンツ記録部５０として機能することとなる。
【００４４】
制御部７０は、例えばＣＰＵが主要構成要素となる、データ記録装置１０の各部を統括して各種制御を行うものであり、具体的には、記録開始位置特定部７１、インデックス情報生成部７２、切替機能ＯＮ／ＯＦＦ部７３、を備えている。記録開始位置特定部７１は、取得したコンテンツにおいて、コマーシャル分類情報１３０が付加されているか否かによりコマーシャルデータであるか否かを識別し、この識別に基づいて、コンテンツ記録部５０による記録に同期してコマーシャルデータの記録開始位置を特定する。
【００４５】
インデックス情報生成部７２は、コンテンツ記録部５０による記録に同期して、コマーシャル分類情報１３０と、記録開始位置特定部７１が特定した記録開始位置とを関連付けたインデックス情報１４０を、コマーシャルデータ毎に生成し、記憶部３０（記録データ記憶部３１）に保存する。切替機能ＯＮ／ＯＦＦ部７３は、記録データ再生部６０の再生モード切替部６１の機能（詳細は後述する）のＯＮ／ＯＦＦを切り替える制御を行う。
【００４６】
また、制御部７０は、さらに分類指定部７４および分類判別部７５を備えており、分類指定部７４は、例えばユーザが入力装置９２（例えば赤外線を介してデータ記録装置１０と通信を行うコントローラを想定）を用いて任意のコマーシャルの分類を指定するための制御を行い、入力装置９２から取得した指示に従って、コマーシャルの分類を指定する。分類判別部７５は、記録データ記憶部３１のインデックス情報１４０に含まれるコマーシャル分類情報１３０が示すコマーシャルの分類が、指定分類情報記憶部３２に記憶されたコマーシャルの分類に該当するか否かを判別する。
【００４７】
また、制御部７０は、さらに表示制御部７６および選択部７７を備えており、表示制御部７６は、記録データ記憶部３１の各インデックス情報１４０に含まれるコマーシャル分類情報１３０を一覧表示する分類情報リストを生成し、表示装置９１に画面表示させる制御を行う。また、選択部７７は、表示制御部７６により画面表示された分類情報リストの中から、何れかのコマーシャル分類情報１３０を選択させるための制御を行う。
【００４８】
記録データ再生部６０は、記録データ記憶部３１のインデックス情報１４０を参照しながら、同記録データ記憶部３１から読み出した記録データ１２０を再生し、表示装置９１に表示させる。また、記録データ再生部６０は、記録データ１２０を通常再生する通常再生モードと、早送りやスキップ再生を含む特殊な再生方法で再生する特殊再生モード、の少なくとも２つの再生モードを備えている。
【００４９】
さらに、記録データ再生部６０は、再生モード切替部６１およびコマーシャルデータ再生部６２を有しており、再生モード切替部６１は、記録データ１２０が上記の特殊再生モードで再生中であるとき、記録データ１２０に含まれるコマーシャルデータが、指定分類情報記憶部３２に記憶されたコマーシャルの分類に該当するコマーシャルデータ（以下再生対象コマーシャルデータと記載）である場合、再生対象コマーシャルデータの記録区間における再生モードを、特殊再生モードから通常再生モードに切替える制御を行う。
【００５０】
コマーシャルデータ再生部６２は、再生対象コマーシャルデータ抽出再生部６３、再生対象コマーシャルデータ付加再生部６４、選択コマーシャルデータ抽出再生部６５、特定コマーシャルデータ抽出再生部６６をさらに備えている。再生対象コマーシャルデータ抽出再生部６３は、記録データ記憶部３１の記録データ１２０から再生対象コマーシャルデータを抽出して読み出し、再生する。再生対象コマーシャルデータ付加再生部６４は、記録データ記憶部３１の記録データ１２０から抽出して読み出した再生対象コマーシャルデータを、記録データ１２０の先頭または末尾に付加して再生する。選択コマーシャルデータ抽出再生部６５は、表示制御部７６により画面表示された分類情報リストにおいて、選択部７７が選択したコマーシャル分類情報が示す分類に該当するコマーシャルデータを、記録データ１２０から抽出して読み出し、再生する。
【００５１】
特定コマーシャルデータ抽出再生部６６は、特定コマーシャル情報記憶部３３の特定コマーシャル情報に含まれるコマーシャルＩＤで識別されるコマーシャルデータを、記録データ１２０から抽出して読み出し、再生する。なお、この場合、特定コマーシャルデータ抽出再生部６６は、記録データ記憶部３１のインデックス情報１４０に含まれるコマーシャル分類情報１３０のコマーシャルＩＤに基づいて（図２も参照）、該当するコマーシャルデータを記録データ１２０から抽出して読み出し、再生する。なお、再生対象コマーシャルデータ抽出再生部６３、再生対象コマーシャルデータ付加再生部６４、および特定コマーシャルデータ抽出再生部６６による各再生は、各再生を指示する所定の操作をトリガとして実行されるものとする。
【００５２】
続いて、図２を参照し、コマーシャル分類情報１３０およびインデックス情報１４０について説明する。同図（ａ）に示すように、１のコマーシャルデータに付加されたコマーシャル分類情報１３０は、コマーシャルの内容を識別するコマーシャルＩＤおよびコマーシャル長さと、コマーシャルの提供社名、商品ジャンル、出演者名、使用楽曲のうち少なくとも何れか１以上の分類項目の情報と、が関連付けられたものである（図示では全て含まれている）。なお、商品ジャンルは、商品を大別したメインジャンルと、メインジャンルをより詳細に分別したサブジャンルと、から構成される。
【００５３】
また、同図（ｂ）に示すように、コマーシャルデータ毎に生成されるインデックス情報１４０は、制御部７０の記録開始位置特定部７１が特定したコマーシャルデータの記録開始位置と、このコマーシャルデータに付加されたコマーシャル分類情報１３０とが関連付けられたものであり、さらに、このコマーシャルデータが再生対象コマーシャルデータであるか否かを表す再生フラグが含まれている。また、図示するように本実施形態では、記録開始位置として記録開始日時を用いており、記録データ記憶部３１のインデックス情報１４０は、記録開始日時順に並べられて保存されている。
【００５４】
なお、インデックス情報１４０において、コマーシャル分類情報１３０のうち、コマーシャルＩＤのみを記録開始位置と関連付けておき、コマーシャルＩＤを除く他のコマーシャル分類情報１３０とコマーシャルＩＤとを関連付けた情報を別に記憶してもよい。これにより、既にインデックス情報１４０を生成したコマーシャルデータと同一のコマーシャルＩＤで識別されるコマーシャルデータについては、コマーシャルＩＤを除くコマーシャル分類情報１３０を保存しておく必要がないので、記録データ記憶部３１の記憶容量を節約することができる。
【００５５】
さらに、図３を参照し、分類指定部７４によるコマーシャルの分類指定方法について説明する。図３は、分類指定部７４による制御により表示装置９１に画面表示されるコマーシャル分類指定画面Ｄ１の一例を示している。図示するコマーシャル分類指定画面Ｄ１には、画面左側に、コマーシャルの分類をその項目別に指定するための分類指定ボタン１０１が配置する。なお、この分類指定ボタン１０１には、コマーシャルの分類として、コマーシャルの放送時間帯を指定したり、直接キーワードを入力したりするためのボタンも含まれる。
【００５６】
そして、ユーザが入力装置９２を用いて、例えばコマーシャルの商品ジャンルで分類を指定するための分類指定ボタン１０１を選択した場合、図示のように、商品ジャンルのうちメインジャンルに該当する各ジャンル名称１０２が画面中央に表示されるとともに、各ジャンル名称１０２に隣接して、何れかのジャンル名称１０２を選択するための選択ボックス１０３が表示される。そして、ユーザが、例えば入力装置９２を用いて、所望の選択ボックス１０３を選択すると、選択されたジャンル名称１０２（メインジャンル）のサブジャンルに該当する各ジャンル名称１０４が画面右側に表示されるとともに、各ジャンル名称１０４に隣接して、何れかのジャンル名称１０４を選択するための選択ボックス１０５が表示される。
【００５７】
結果として図示の例では、コマーシャルの分類として、メインジャンル「自動車」およびサブジャンル「軽自動車」または「ワゴン」が指定されたこととなり、分類指定部７４は、例えば入力装置９２の決定ボタンの選択をトリガとしてこの情報を指定分類情報記憶部３２に記憶する。なお、コマーシャル分類指定画面Ｄ１に表示する例えばジャンル名称１０２，１０４は、放送装置１５０が付加するコマーシャル分類情報１３０に含まれることが想定される全てのジャンル名称でもよいし、記録データ記憶部３１の各インデックス情報１４０に含まれるコマーシャル分類情報１３０のジャンル名称に限定してもよい。他の分類についても同様である。
【００５８】
ここで、インデックス情報生成部７２によるインデックス情報１４０の生成フローについて、図４に示すフローチャートを参照して説明する。まず、コンテンツ記録部５０が、コンテンツの記録を開始すると（Ｓ０１）、コンテンツの記録に同期して、記録開始位置特定部７１は、コマーシャル分類情報１３０の有無に基づき取得したコンテンツがコマーシャルデータであるか否かを識別し（Ｓ０２）、コマーシャルデータである場合には（Ｓ０２；Ｙｅｓ）、コマーシャルデータの記録開始位置を特定する（Ｓ０３）。記録開始位置が特定されると、次にインデックス情報生成部７２は、特定した記録開始位置と、コマーシャルデータに付加されたコマーシャル分類情報１３０とを関連付けたインデックス情報１４０を生成し、記録データ記憶部３１に記憶する（Ｓ０４）。
【００５９】
記録データ記憶部３１にインデックス情報１４０が記憶されると、次に、分類判別部７５は、記録データ記憶部３１のインデックス情報１４０に含まれるコマーシャル分類情報１３０が示すコマーシャルの分類が、指定分類情報記憶部３２に記憶されたコマーシャルの分類に該当するか否かを判別する（Ｓ０５）。指定分類情報記憶部３２に記憶されたコマーシャルの分類に該当する場合（Ｓ０５；Ｙｅｓ）、インデックス情報生成部７２は、該当するインデックス情報１４０において、再生フラグをＯＮにする（Ｓ０６）。また、指定分類情報記憶部３２に記憶されたコマーシャルの分類に該当しない場合には（Ｓ０５；Ｎｏ）、何もしない。これらの処理が、コンテンツの記録が終了するまで（Ｓ０７；Ｙｅｓ）、繰り返されることとなる。なお、指定分類情報記憶部３２に記憶されたコマーシャルの分類が変更された場合には、この変更に伴い、記録データ記憶部３１に記憶されたインデックス情報１４０の再生フラグを適宜更新することが好ましい。
【００６０】
さらに、記録データ再生部６０の再生モード切替部６１による再生モード切替
フローについて、図５に示すフローチャートを参照して説明する。記録データ再生部６０が、特殊再生モードで記録データ１２０を再生しているとき、切替機能ＯＮ／ＯＦＦ部７３により、再生モード切替機能がＯＮになっていることを確認し（Ｓ１１；Ｙｅｓ）、さらに、再生フラグがＯＮであるインデックス情報１４０がある場合（Ｓ１２；Ｙｅｓ）、再生モード切替部６１は、インデックス情報１４０の記録開始位置から、再生モードを通常再生モードに切替える（Ｓ１３）。
【００６１】
そして、インデックス情報１４０の記録開始位置からコマーシャル長さで規定される区間（すなわち上記再生対象コマーシャルデータの記録区間）の再生終了と同時に（Ｓ１４；Ｙｅｓ）、再生モード切替部６１は、再生モードを再び特殊再生モードに切替える（Ｓ１５）。これらの処理が、特殊再生モードでの再生終了が指示されるまで（Ｓ１６；Ｙｅｓ）、繰り返されることとなる。また、再生モード切替機能がＯＦＦになっている場合（Ｓ１１；Ｎｏ）、再生モードの切替（Ｓ１３に該当）が行われることはない。
【００６２】
なお、処理能力に余裕がある場合には、インデックス情報１４０の再生フラグを省略し、記録データ再生部６０による特殊再生モードでの再生に同期して、インデックス情報１４０に含まれるコマーシャル分類情報１３０が示すコマーシャルの分類が、指定分類情報記憶部３２に記憶されたコマーシャルの分類に該当するか否かを判別する構成でもよい。また、記録データ１２０の中に、同一のコマーシャルＩＤで識別されるコマーシャルデータが複数存在する場合には（インデックス情報１４０に基づいて判別可能である）、２回目以降のコマーシャルデータについて、通常再生モードに切替える制御を省略してもよい。また、特殊再生モードでの再生時に限らず、記録データ１２０の中に、同一のコマーシャルＩＤで識別されるコマーシャルデータが複数存在する場合には、２回目以降のコマーシャルデータの再生を省略してもよい。
【００６３】
このように、記録データ１２０を特殊再生モード、すなわち早送りやスキップ機能を用いて再生している場合であっても、ユーザが所望する分類に合致するコマーシャルデータは、特殊再生モードから通常再生モードに切替えて再生されるので、特殊再生機能の利便性を損ねることなく、ユーザが記録データ１２０に含まれる所望のコマーシャルデータを確実に視聴または聴取することが可能となる。また、これにより、ユーザが特殊再生機能を利用したとしても自動的に通常再生されるコマーシャルデータが発生することから、広告主にとってもメリットを有することとなる。さらに、特殊再生モードでの再生時において、再生対象コマーシャルデータに限らず、全てのコマーシャルデータを通常再生モードに切替えて再生する構成でもよい。
【００６４】
続いて、図６を参照し、表示制御部７６による分類情報リストの生成・表示方法について説明する。表示制御部７６は、記録データ記憶部３１の各インデックス情報１４０に含まれる各コマーシャル分類情報１３０を、同一のコマーシャルＩＤで識別されるコマーシャルデータ（以下同一ＩＤコマーシャルデータと記載）毎に抽出することにより、分類情報リストを生成する。また、表示制御部７６は、同一ＩＤコマーシャルデータ毎のコマーシャルデータ記録回数（すなわち同一のコマーシャルＩＤを含むインデックス情報の数）、同一ＩＤコマーシャルデータ毎の再生回数（制御部７０が、記録データ再生部６０による同一ＩＤコマーシャルデータ毎の再生回数をカウントしていることを想定）、および同一ＩＤコマーシャルデータにおける最新記録日時、をさらに含めて分類情報リストを生成する。
【００６５】
図６は、表示制御部７６による制御により表示装置９１に画面表示される分類情報リスト画面Ｄ２の一例を示している。図示する分類情報リスト画面Ｄ２には、各コマーシャル分類情報１３０に含まれる商品ジャンル（メインジャンル１１１、サブジャンル１１２）、コマーシャルの提供社名１１３、コマーシャル長さ１１４、に関する情報に加え、同一ＩＤコマーシャルデータ毎の再生有無１１５（同一ＩＤコマーシャルデータ毎の再生回数に基づいて表示）、同一ＩＤコマーシャルデータにおける最新記録日時１１６、同一ＩＤコマーシャルデータ毎の記録回数１１７、および同一ＩＤコマーシャルデータ毎の再生回数１１８に関する情報が一覧表示される。また、取得したコマーシャル分類情報１３０に、コマーシャルに関する詳細情報（商品の販売開始日といった付加情報）が含まれる場合には、表示制御部７６は、さらにこの詳細情報を分類情報リスト画面Ｄ２の付加情報表示部１１９にさらに表示する（図示の例では、コマーシャル分類情報１３０の出演者名および使用楽曲に関する情報もここに表示している）。
【００６６】
また、選択部７７は、例えばユーザによる入力装置９２からの指示に従って、分類情報リストのなかから何れかのコマーシャル分類情報１３０を選択する（図ではＮｏ．１のコマーシャル分類情報１３０が選択状態であることを示す）。
【００６７】
そして、例えば入力装置９２の再生ボタンの選択をトリガとして、選択コマーシャルデータ再生部６４は、選択部７７が選択しているコマーシャル分類情報１３０に含まれるコマーシャルＩＤのコマーシャルデータを、記録データ１２０から抽出して読み出し、再生する。なお、コンテンツ記録部５０により記録が行われていないときにもコンテンツを取得することが可能であれば（すなわちユーザがリアルタイムに視聴（聴取）しているコンテンツを取得することが可能であれば）、上記の最新記録日時１１６、および記録回数１１７に代えて、コマーシャルデータの最新取得日時および取得回数を表示してもよい。
【００６８】
また、図７は、分類情報リスト画面Ｄ２の他の例を示している。同図に示す分類情報リスト画面Ｄ２は、同一ＩＤコマーシャルデータにおいて、コマーシャルデータに含まれる何れか１のフレーム画像Ｇをサムネイル表示するものである。この場合、表示制御部７６は、記録データ記憶部３１の記録データ１２０に含まれるコマーシャルデータから、同一ＩＤコマーシャルデータ毎に、任意の１のフレーム画像Ｇを抽出するとともに、同一ＩＤコマーシャルデータ毎にコマーシャル分類情報１３０を抽出し、対応するフレーム画像Ｇとコマーシャル分類情報１３０とを合わせて、分類情報リストを生成する。
【００６９】
さらに、この場合、表示制御部７６は、選択部７７が選択しているフレーム画像Ｇに対応するコマーシャル分類情報１３０と、同一ＩＤコマーシャルデータ毎の再生有無１１５、同一ＩＤコマーシャルデータにおける最新記録日時１１６、同一ＩＤコマーシャルデータ毎の記録回数１１７、および同一ＩＤコマーシャルデータ毎の再生回数１１８に関する情報をさらに画面の一部（図示では上部）に表示する。これにより、ユーザは、選択部７７が選択しているフレーム画像Ｇに対応するコマーシャル分類情報１３０等を瞬時に把握することができる。
【００７０】
そして、例えば入力装置９２の再生ボタンの選択をトリガとして、選択コマーシャルデータ再生部６４は、選択部７７が選択しているフレーム画像Ｇを含むコマーシャルデータを、記録データ１２０から抽出して読み出し、再生する。なお、図６および図７に示した分類情報リスト画面Ｄ２において、例えばユーザが所定のキーワードを入力し、入力されたキーワードに合致するコマーシャル分類情報のみを分類情報リストとして再表示するフィルタリング機能を設けるとなおよい。
【００７１】
このように、記憶したコマーシャル分類情報１３０を一覧表示する分類情報リストを表示し、分類情報リストの中から選択されたコマーシャル分類情報１３０に該当するコマーシャルデータを再生することにより、ユーザは、画面表示された分類情報リストを参照し、所望の分類に合致するコマーシャル分類情報１３０を選択することにより、容易に自身が興味のあるコマーシャルデータを視聴（聴取）することができる。
【００７２】
また、制御部７０が、記録データ再生部６０による同一ＩＤコマーシャルデータ毎の再生回数をカウントしている場合、この再生回数を例えばデータ記録装置１０の製造メーカがネットワークを介して集計し、この集計結果となるランキング情報を広告主へ提供する等の活用も想定される。また、上述した特定コマーシャル情報を配信するベンダを想定した場合、所定の広告主の依頼に応じて、この広告主が提供するコマーシャルを特定コマーシャルとした特定コマーシャル情報をデータ記録装置１０に配信し、この見返りとして、データ記録装置１０の製造メーカから取得した、所定の広告主が提供するコマーシャルの再生回数を広告主側に提供する、といったビジネスモデルも成立する。
【００７３】
さらに、上記した分類情報リスト画面Ｄ２の例以外にも、例えば記録データ毎にグループ化したり、或いはコマーシャルデータが挿入された番組毎にグループ化したりして、コマーシャル分類情報１３０を一覧表示してもよい。また、この場合、記録データの記録日時順や、番組名称のアイウエオ順等で並び替えを行い得るように構成するとなおよい。
【００７４】
続いて、本発明の第２実施形態に係る放送システム１について説明する。本実施形態に係る放送システム１は、データ記録装置１０の記憶容量を節約しながら、コンテンツの記録を行い得るものである。そこで、以下、第１実施形態と異なる点を中心に説明する。
【００７５】
図８は、第２実施形態に係る放送システム１のシステム構成において、第１実施形態に係る構成と異なる点を含む、データ記録装置１０の記憶部３０、コンテンツ記録部５０、および制御部７０の構成を示している。同図に示すように、データ記録装置１０の記憶部３０は、記録データ記憶部３１において、さらにコマーシャルデータを記憶するコマーシャルデータ記憶部３１ａと、コンテンツからコマーシャルデータを除いた本編データを記憶する本編データ記憶部３１ｂと、を備えている。すなわち、コンテンツ記録部５０は、コンテンツの記録において、コマーシャルデータはコマーシャルデータ記憶部３１ａに対して記録を行い、本編データは本編データ記憶部３１ｂに対して記録を行うこととなる。
【００７６】
また、制御部７０は、コマーシャルデータ記憶部３１ａのコマーシャルデータを削除するコマーシャルデータ削除部７８、をさらに備えている。コマーシャルデータ削除部７８は、例えばコマーシャルデータの取得日時から一定期間内における再生回数が所定回数に満たない場合や、コマーシャルデータを記憶するコマーシャルデータ記憶部３１ａの記憶容量が一定容量を超えた場合等、所定の条件を満たした場合には、コマーシャルデータ記憶部３１ａのコマーシャルデータを削除する。なお、所定の条件に関しては、設定情報としてデータ記録装置１０内に保存されていることを前提とする。
【００７７】
そして、本実施形態に係るコンテンツ記録部５０は、コンテンツの記録中に、既に記録したコマーシャルデータと同一のコマーシャルＩＤで識別されるコマーシャルデータを取得した場合（インデックス情報１４０に基づいて判別可能である）、２回目以降に取得したコマーシャルデータの記録を省略する。同時に、本実施形態に係るインデックス情報生成部７２は、記録を省略したコマーシャルデータの記録開始位置となる仮想記録開始位置と、このコマーシャルデータのコマーシャルＩＤとを関連付けたインデックス情報１４０を生成する。
【００７８】
ここで、図９に示すフローチャートを参照し、インデックス情報１４０に仮想記録開始位置が含まれる場合の、記録データ再生フローについて説明する。まず、記録データ再生部６０は、記録データ記憶部３１に、仮想記録開始位置を含むインデックス情報１４０の有無を判別する（Ｓ２１）。そして、仮想記録開始位置を含むインデックス情報１４０がある場合には（Ｓ２１；Ｙｅｓ）、再生中の記録データ１２０における現在再生位置が、仮想記録開始位置に到達すると（Ｓ２２）、記録データ再生部６０は、仮想記録開始位置に関連付けられたコマーシャルＩＤを含むインデックス情報１４０を検索する（Ｓ２３）。
【００７９】
そして、検索したインデックス情報１４０に含まれるコマーシャルＩＤで識別されるコマーシャルデータを、同インデックス情報１４０に含まれる記録開始位置に基づいて、記録データ１２０から抽出して読み出し、再生する（Ｓ２４）。さらに、同インデックス情報１４０（コマーシャル分類情報１３０）に含まれるコマーシャル長さ情報に基づいて、コマーシャルデータの再生が終了したと判別した場合（Ｓ２５；Ｙｅｓ）、記録データ再生部６０は、再生位置を、再び仮想記録開始位置に戻して再生を続行する（Ｓ２６）。これらの処理が、記録データ１２０の再生が終了するまで（Ｓ２７；Ｙｅｓ）、繰り返されることとなる。
【００８０】
このように、本第２実施形態に係る放送システム１によれば、既に記録データ１２０として記録したコマーシャルデータと同一のコマーシャルであるコマーシャルデータを取得した場合には、コマーシャルデータ自体の記録を省略することから、記録容量を大幅に削減することができ、データ記録装置１０の記憶容量を節約し得る。同時に、記録データ１２０の再生時には、コマーシャルデータを取得した分だけコマーシャルデータを再生するので、コマーシャルデータの再生カットにはつながらず、広告主にデメリットを与える虞もない。
【００８１】
さらに、本発明の第３実施形態に係る放送システム１について説明する。本実施形態に係る放送システム１は、データ記録装置１０において、記録データ１２０中の本編データとコマーシャルデータとを互いに切替えて再生するものである。そこで、以下、第１および第２実施形態と異なる点を中心に説明する。
【００８２】
図１０は、第３実施形態に係る放送システム１のシステム構成において、第１および第２実施形態に係る構成と異なる点を含む、データ記録装置１０の記憶部３０、記録データ再生部６０、および制御部７０の構成を示している。同図に示すように、本実施形態に係るデータ記録装置１０の記録データ再生部６０は、１つの記録データ１２０において、全てのコマーシャルデータを除く本編データをインデックス情報１４０に基づき抽出して再生する本編データ抽出再生部６７と、全てのコマーシャルデータをインデックス情報１４０に基づき抽出して再生するコマーシャルデータ抽出再生部６８と、を備えている。
【００８３】
また、制御部７０は、例えば入力装置９２を用いたユーザによる切替指示をトリガとして、本編データ抽出再生部６７の再生とコマーシャルデータ抽出再生部６８の再生とを切替える再生切替部７９、を備えている。例えば、本編データ抽出再生部６７による本編データの再生中に、入力装置９２から切替指示を取得した場合、再生切替部７９は、本編データ抽出再生部６７による本編データの再生を、コマーシャルデータ抽出再生部６８によるコマーシャルデータの再生に切替える。一方、コマーシャルデータ抽出再生部６８によるコマーシャルデータの再生中に、入力装置９２から切替指示を取得した場合、再生切替部７９は、コマーシャルデータ抽出再生部６８によるコマーシャルデータの再生を、本編データ抽出再生部６７による本編データの再生に切替える。
【００８４】
また、再生切替部７９は、コマーシャルデータの再生から本編データの再生に切替える際、切替え直前時におけるコマーシャルデータの再生位置を記憶部３０の再生位置記憶部３４に記憶する。すなわち、再生が切り替わる直前までのコマーシャルデータの再生終了位置を特定するための情報を記憶する。従って、再びコマーシャルデータ抽出再生部６８によるコマーシャルデータの再生に切替えられた際には、再生位置記憶部３４の再生位置から、コマーシャルデータの再生が再開されることとなる。さらに、コマーシャルデータ抽出再生部６８によって、１つの記録データ１２０に含まれる全てのコマーシャルデータの再生が終了した場合には、再生切替部７９は、切替指示を必要とすることなく再生を本編データの再生に切替える。
【００８５】
ここで、図１１に示すフローチャートを参照し、本編データ抽出再生部６７およびコマーシャルデータ抽出再生部６８による、記録データ再生フローについて説明する。まず、本編データ抽出再生部６７による本編データ再生時に（Ｓ３１）、入力装置９２から切替指示を取得すると（Ｓ３２；Ｙｅｓ）、再生切替部７９は、記憶部３０の再生位置記憶部３４に記憶された再生位置を参照し、参照した再生位置からコマーシャルデータ抽出再生部６８による再生を開始させる（Ｓ３３）。この場合、１の記録データ１２０においてコマーシャルデータ抽出再生部６８による再生が初めてである場合には、先頭のコマーシャルデータから再生が開始される。
【００８６】
その後、再び入力装置９２から切替指示を取得すると（Ｓ３４；Ｙｅｓ）、再生切替部７９は、コマーシャルデータ抽出再生部６８による現時点での再生位置を再生位置記憶部３４に記憶し（Ｓ３５）、再生を本編データ抽出再生部６７による本編データの再生に切替える（Ｓ３６）。そして、再び入力装置９２から切替指示を取得すると（Ｓ３７；Ｙｅｓ）、再生切替部７９は、再び再生位置記憶部３４の再生位置を参照し、参照した再生位置からコマーシャルデータ抽出再生部６８による再生を開始させる（Ｓ３８）。その後、全てのコマーシャルデータの再生を終了すると（Ｓ３９；Ｙｅｓ）、再生を本編データ抽出再生部６７による本編データの再生に切替える（Ｓ４０）。
【００８７】
なお、図示は省略するが、本編データの再生をコマーシャルデータの再生に切替える際にも、切替え直前時における本編データの再生位置が記憶部３０に記憶され、その後、再び本編データの再生に切替えられた際には、記憶した本編データの再生位置から再生が再開されることとなる。また、コマーシャルデータおよび本編データに共通して、記憶しておく再生位置は、記録時刻やアドレス情報を用いることが想定される。
【００８８】
また、コマーシャルデータの場合には、再生位置としてインデックス情報１４０のコマーシャルＩＤおよび記録開始位置を用いてもよい。すなわち、再生が切替えられた時点で再生していたコマーシャルＩＤを記憶しておき、再度コマーシャルデータの再生に切替えられた際には、記憶したコマーシャルＩＤで識別されるコマーシャルデータの記録開始位置から再生を再開する構成でもよい。
【００８９】
このように、本第３実施形態に係る放送システム１によれば、１つの記録データ１２０において、例えば入力装置９２からの切替指示をトリガとして、本編データとコマーシャルデータとを互いに切替えて再生することができるので、ユーザは、本編データとコマーシャルデータとを所望のタイミングでそれぞれ個別に視聴（聴取）することが可能となり、ユーザの利便性をさらに向上させ得る。
【００９０】
なお、上記の第１実施形態ないし第３実施形態に係る放送システム１は、デジタル方式、アナログ方式、問わず実現することが可能である。特に、アナログ方式において、コマーシャルデータにコマーシャル分類情報１３０を付加する方法としては、例えばコマーシャルデータの走査線に付加する垂直ブランキング信号に、コマーシャル分類情報１３０を埋め込むことで実現可能である。
【００９１】
また、上記の例に示した放送システム１におけるデータ記録装置１０の各機能をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【００９２】
さらに、上記の実施形態における放送システム１の例によらず、装置構成や処理工程等について、本発明の要旨を逸脱しない範囲で、適宜変更も可能である。
【図面の簡単な説明】
【００９３】
【図１】データ記録装置の機能ブロック図である。
【図２】コマーシャル分類情報（ａ）、およびインデックス情報（ｂ）、の各具体例を示す図である。
【図３】分類指定部による分類指定方法の一例を示す図である。
【図４】インデックス情報生成の一連を表すフローチャートである。
【図５】再生モード切替フローを表すフローチャートである。
【図６】表示制御部により画面表示される分類情報リスト画面を例示する図である。
【図７】分類情報リスト画面の他の例を例示する図である。
【図８】第２実施形態に係るデータ記録装置の機能ブロック図である。
【図９】第２実施形態に係る記録データ再生部による再生制御を示すフローチャートである。
【図１０】第３実施形態に係るデータ記録装置の機能ブロック図である。
【図１１】第３実施形態に係る記録データ再生部による再生制御を示すフローチャートである。
【符号の説明】
【００９４】
１…放送システム  １０…データ記録装置  ２０…コンテンツ取得部  ３０…記憶部  ３１…記録データ記憶部  ３２…指定分類情報記憶部  ３３…特定コマーシャル情報記憶部  ３４…再生位置記憶部  ５０…コンテンツ記録部  ６０…記録データ再生部  ６１…再生モード切替部  ６２…コマーシャルデータ再生部  ６３…再生対象コマーシャルデータ抽出再生部  ６４…再生対象コマーシャルデータ付加再生部  ６５…選択コマーシャルデータ抽出再生部  ６６…特定コマーシャルデータ抽出再生部  ６７…本編データ抽出再生部  ６８…コマーシャルデータ抽出再生部  ７０…制御部  ７１…記録開始位置特定部  ７２…インデックス情報生成部  ７３…切替機能ＯＮ／ＯＦＦ部  ７４…分類指定部  ７５…分類判別部  ７６…表示制御部  ７７…選択部  ７８…コマーシャルデータ削除部  ７９…再生切替部  １２０…記録データ  １３０…コマーシャル分類情報  １４０…インデックス情報  １５０…放送装置  １５１…コンテンツ送出部
【図１】
2007274492.tif 000003
【図２】
2007274492.tif 000004
【図３】
2007274492.tif 000005
【図４】
2007274492.tif 000006
【図５】
2007274492.tif 000007
【図６】
2007274492.tif 000008
【図７】
2007274492.tif 000009
【図８】
2007274492.tif 000010
【図９】
2007274492.tif 000011
【図１０】
2007274492.tif 000012
【図１１】
2007274492.tif 000013